(57)【要約】【課題】  ベクターデータの文字の大きさやベクターデータの解像度に対する画面表示の解像度の比に基づいて、アンチエイリアス処理にかかる処理負担を軽減して、高品質な表示処理を高速に実現する。【解決手段】  ベクターデータの文字の大きさを所定の大きさ基準値と比較し（Ｓ１）、また、ベクターデータの解像度に対する表示解像度の比を所定の解像度比基準値と比較し（Ｓ４）、大きさ基準値より小さいと判定され且つ解像度の比が小さいと判定された場合には（Ｓ６、Ｓ８）、ベクターデータをアンチエイリアス化して描画し（Ｓ７、Ｓ９）、これら以外の場合には、ベクターデータをアンチエイリアスせずに描画する。【選択図】  図２
2006091280.tif 000002
【特許請求の範囲】
【請求項１】
ベクターデータを描画して画面に表示する表示処理装置において、
ベクターデータのキャラクタの大きさを予め設定された所定の大きさ基準値と比較する大きさ判定手段と、
ベクターデータのキャラクタが前記所定の大きさ基準値より小さいと判定されたことに応じて、当該ベクターデータを表示画面より高い分解能でワークメモリに描画する拡大描画手段と、
拡大描画されたビットマップイメージを同一倍率で縮小する縮小手段と、
縮小されたビットマップイメージを表示用メモリに書き込む手段と、
を備えることを特徴とする表示処理装置。
【請求項２】
請求項１に記載の表示処理装置において、
前記描画手段は、ベクターデータのキャラクタが前記所定の大きさ基準値より大きいと判定されたことに応じて、当該ベクターデータをアンチエイリアス化せずにワークメモリに描画することを特徴とする表示処理装置。
【請求項３】
ベクターデータを描画して画面に表示する表示処理装置において、
ベクターデータの解像度に対する画面表示の解像度の比を予め設定された所定の解像度比基準値と比較する解像度判定手段と、
前記解像度の比が前記所定の解像度比基準値より小さいと判定されたことに応じて、当該ベクターデータから拡大したビットマップイメージを描画する拡大描画手段と、
拡大描画されたビットマップイメージを同一倍率で縮小する縮小手段と、
縮小されたビットマップイメージを表示メモリに書き込む手段、
を備えることを特徴とする表示処理装置。
【請求項４】
請求項３に記載の表示処理装置において、
前記所定の解像度比基準値は段階的に複数設定され、
前記拡大描画手段は、解像度の比が所定の解像度比基準値より小さくなるに応じて大きな拡大率でビットマップイメージを描画することを特徴とする表示処理装置。
【請求項５】
請求項３又は請求項４に記載の表示処理装置において、
前記描画手段は、前記解像度の比が前記所定の解像度比基準値より大きいと判定されたことに応じて、当該ベクターデータをアンチエイリアス化せずにワークメモリに描画することを特徴とする表示処理装置。
【請求項６】
ベクターデータを描画して画面に表示する表示処理装置において、
ベクターデータのキャラクタの大きさを予め設定された所定の大きさ基準値と比較する大きさ判定手段と、
ベクターデータの解像度に対する画面表示の解像度の比を予め設定された所定の解像度比基準値と比較する解像度判定手段と、
ベクターデータのキャラクタが前記所定の大きさ基準値より小さいと判定され且つ前記解像度の比が前記所定の解像度比基準値より小さいと判定されたことに応じて、当該ベクターデータを表示画面の分解能より高い分解能に拡大して描画する拡大描画手段と、
拡大描画されたビットマップイメージを同一倍率で縮小する縮小手段と、
縮小されたビットマップイメージを表示用メモリに書き込む手段と、
を備えることを特徴とする表示処理装置。
【請求項７】
請求項８に記載の表示処理装置において、
前記描画手段は、ベクターデータのキャラクタが前記所定の大きさ基準値より大きいと判定されたこと又は前記解像度の比が前記所定の解像度比基準値より大きいと判定されたことに応じて、当該ベクターデータから等倍でビットマップイメージを描画することを特徴とする表示処理装置。
【請求項８】
請求項１乃至請求項７のいずれか１項に記載の表示処理装置において、
前記ベクターデータのキャラクタは、アウトラインデータから変換された文字のベクターデータであることを特徴とする表示処理装置。
【請求項９】
コンピュータにベクターデータを画面に表示する処理を行わせるプログラムにおいて、
ベクターデータのキャラクタの大きさを予め設定された所定の大きさ基準値と比較する大きさ判定機能と、
ベクターデータのキャラクタが前記所定の大きさ基準値より小さいと判定されたことに応じて、当該ベクターデータから拡大したビットマップイメージを描画する拡大描画機能と、
拡大描画されたビットマップイメージを同一倍率で縮小する縮小機能と、
ベクターデータのキャラクタが前記所定の大きさ基準値より大きいと判定されたことに応じて、当該ベクターデータから等倍でビットマップイメージを描画する等倍描画機能と、
等倍で描画されたビットマップイメージ及び縮小されたビットマップイメージを表示データとして保持する機能とを、コンピュータが実行することにより構成することを特徴とする表示処理プログラム。
【請求項１０】
コンピュータにベクターデータをビットマップイメージに描画して画面に表示する表示データを生成する処理を行わせるプログラムにおいて、
ベクターデータの解像度に対する画面表示の解像度の比を予め設定された所定の解像度比基準値と比較する解像度判定機能と、
前記解像度の比が前記所定の解像度比基準値より小さいと判定されたことに応じて、当該ベクターデータから拡大したビットマップイメージを描画する拡大描画機能と、
拡大描画されたビットマップイメージを同一倍率で縮小する縮小機能と、
前記解像度の比が前記所定の解像度比基準値より大きいと判定されたことに応じて、当該ベクターデータから等倍でビットマップイメージを描画する等倍描画機能と、
等倍で描画されたビットマップイメージ及び縮小されたビットマップイメージを表示データとして保持する機能とを、コンピュータが実行することにより構成することを特徴とする表示処理プログラム。
【請求項１１】
コンピュータにベクターデータをビットマップイメージに描画して画面に表示する表示データを生成する処理を行わせるプログラムにおいて、
ベクターデータのキャラクタの大きさを予め設定された所定の大きさ基準値と比較する大きさ判定機能と、
ベクターデータの解像度に対する画面表示の解像度の比を予め設定された所定の解像度比基準値と比較する解像度判定機能と、
ベクターデータのキャラクタが前記所定の大きさ基準値より小さいと判定され且つ前記解像度の比が前記所定の解像度比基準値より小さいと判定されたことに応じて、当該ベクターデータから拡大したビットマップイメージを描画する拡大描画機能と、
拡大描画されたビットマップイメージを同一倍率で縮小する縮小機能と、
ベクターデータのキャラクタが前記所定の大きさ基準値より大きいと判定されたこと又は前記解像度の比が前記所定の解像度比基準値より大きいと判定されたことに応じて、当該ベクターデータから等倍でビットマップイメージを描画する等倍描画機能と、
等倍で描画されたビットマップイメージ及び縮小されたビットマップイメージを表示データとして保持する機能とを、コンピュータが実行することにより構成することを特徴とする表示処理プログラム。
【請求項１２】
表示処理装置がベクターデータをビットマップイメージに描画して画面に表示する表示データを生成する処理を行う表示処理方法において、
表示処理装置の大きさ判定手段が、ベクターデータのキャラクタの大きさを予め設定された所定の大きさ基準値と比較し、
ベクターデータのキャラクタが前記所定の大きさ基準値より小さいと判定された場合には、表示処理装置の拡大描画手段が当該ベクターデータから拡大したビットマップイメージを描画し、表示処理装置の縮小手段が当該拡大描画されたビットマップイメージを同一倍率で縮小し、
ベクターデータのキャラクタが前記所定の大きさ基準値より大きいと判定された場合には、表示処理装置の等倍描画手段がベクターデータから等倍でビットマップイメージを描画し、
表示処理装置の表示用メモリが、等倍で描画されたビットマップイメージ及び縮小されたビットマップイメージを表示データとして保持することを特徴とする表示処理方法。
【請求項１３】
表示処理装置がベクターデータをビットマップイメージに描画して画面に表示する表示データを生成する処理を行う表示処理方法において、
表示処理装置の解像度判定手段がベクターデータの解像度に対する画面表示の解像度の比を予め設定された所定の解像度比基準値と比較し、
前記解像度の比が前記所定の解像度比基準値より小さいと判定された場合には、表示処理装置の拡大描画手段がベクターデータから拡大したビットマップイメージを描画し、表示処理装置の縮小手段が拡大描画されたビットマップイメージを同一倍率で縮小し、
前記解像度の比が前記所定の解像度比基準値より大きいと判定された場合には、表示処理装置の等倍描画手段がベクターデータから等倍でビットマップイメージを描画し、
表示処理装置の表示用メモリが、等倍で描画されたビットマップイメージ及び縮小されたビットマップイメージを表示データとして保持することを特徴とする表示処理方法。
【請求項１４】
表示処理装置がベクターデータをビットマップイメージに描画して画面に表示する表示データを生成する処理を行う表示処理方法において、
表示処理装置の判定手段が、ベクターデータのキャラクタの大きさを予め設定された所定の大きさ基準値と比較し、また、ベクターデータの解像度に対する画面表示の解像度の比を予め設定された所定の解像度比基準値と比較し、
ベクターデータのキャラクタが前記所定の大きさ基準値より小さいと判定され且つ前記解像度の比が前記所定の解像度比基準値より小さいと判定された場合には、表示処理装置の拡大描画手段がベクターデータから拡大したビットマップイメージを描画し、表示処理装置の縮小手段が拡大描画されたビットマップイメージを同一倍率で縮小し、
ベクターデータのキャラクタが前記所定の大きさ基準値より大きい又は前記解像度の比が前記所定の解像度比基準値より大きいと判定された場合には、表示処理装置の等倍描画手段がベクターデータから等倍でビットマップイメージを描画し、
表示処理装置の表示用メモリが、等倍で描画されたビットマップイメージ及び縮小されたビットマップイメージを表示データとして保持することを特徴とする表示処理方法。
【発明の詳細な説明】
【技術分野】
【０００１】
本発明は、ベクターデータを画面に表示する表示処理に関し、特に、ベクターデータ化されたキャラクタ（文字や図形等）を高品質に画面表示する技術に関する。
【背景技術】
【０００２】
アプリケーションから出力された印刷データをファイルに保存して、専用のビューア上で表示することにより、当該アプロケーションをコンピュータにインストールせずとも、印刷データに基づく画像を画面に表示することができるソフトウエア（例えば、富士ゼロックス社のＤｏｃｕＷｏｒｋｓ）が知られている。
アプリケーションは文字を印刷する場合に文字コードを含む印刷データを出力するが、文字コードによって指定された文字を画面表示する場合、オペレーティングシステムのアウトラインフォント表示機能により、例えば６ポイントといったような小さな文字でもそれなりに読み易い形態で画面表示される。
【０００３】
また、上記のソフトウエアは、フォントがない環境での文字書体を再現できるように、フォントファイルから取り出した文字のアウトラインデータをベクターデータに変換して、アプリケーションデータの一部としてファイルに保存する機能を備えている。
しかしながら、アウトラインデータから変換した高解像度のベクターデータをアンチエイリアス化せずに画面上に表示すると、ベクターデータ化された文字を高品質に画面表示することができず、拡大表示しないと文字として読めない場合がある。
【０００４】
この対策として、アンチエイリアスという技術が知られている。アンチエイリアスの一つの実現例を次に示す。目的の解像度よりも高い分解能で描画した高解像度画像を生成し、その高解像度画像を目的の解像度に縮小する際、縮小画像の各画素に対応する高解像度画像の複数画素の濃度の平均値を縮小画像の画素の濃度とすることによって、前景と背景の境界がなめらかな画像を生成する。
【０００５】
なお、図形の描画処理に関して、小さな文字でもステムの消失などを招くことなくアンチエイリアス化表示できるようにした発明（特許文献１参照。）、アンチアイリアス処理を効率的に行う描画装置の発明（特許文献２参照。）、アンチエイリアスされた任意の多角形を高速且つ高品質に描画できるようにした図形描画装置の発明が知られている（特許文献３参照。）。
また、低解像度のディスプレイでも斜め線のギザ無く、ボケの無いビットマップイメージ画像を表示可能な画像データ処理装置の発明が知られている（特許文献４参照。）。
また、小さいサイズの文字について直線描画処理によって得られるドットパターンをビットマップメモリに展開する発明が知られている（特許文献５参照。）。
また、小さな画素配列により文字を形成する際に、発生したビットイメージデータに対して画素配列を変更する処理を行うことで、文字表現に必要な画素数が不足した場合でも判別し易い文字形状を形成する発明が知られている（特許文献６参照。）。
【特許文献１】特開平１０―２６９７２号公報
【特許文献２】特開２００２―５６３９５号公報
【特許文献３】特開２００３―３０３３４９号公報
【特許文献４】特開平５―３４６９５３号公報
【特許文献５】特開平５―３１３６３４号公報
【特許文献６】特開平５―３４１７６１号公報
【発明の開示】
【発明が解決しようとする課題】
【０００６】
上記のように、ベクターデータを表示解像度のｎ倍の解像度でワークメモリ上に描画してビットマップイメージを生成し、各画素の濃度を対応する元画像の複数画素の濃度の平均値としながらこのビットマップイメージを１／ｎ倍して元の大きさに縮小して画面表示する描画方法を用いると、小さな文字でも判別し易い形態で画面表示することが可能となる。
しかしながら、この方法によると、ワークメモリはシステムリソースを圧迫し、ビットマップイメージの縮小はプロセッサにかなりの負担をかける処理であるので、ビットマップイメージが大きい場合や、拡大率が大きい場合には、表示速度を著しく低下させてしまう課題があった。
【０００７】
本発明は、上記従来の事情に鑑みなされたもので、システムに大きな負担をかけることなく、小さな文字でも判別し易い形態で高速に画面表示することができる表示処理を実現することを目的としている。
【課題を解決するための手段】
【０００８】
本発明では、ベクターデータを画面に表示する表示処理装置において、大きさ判定手段によりベクターデータのキャラクタの大きさを予め設定された所定の大きさ基準値と比較して、拡大描画手段によりベクターデータのキャラクタが前記所定の大きさ基準値より小さいと判定されたことに応じて当該ベクターデータから拡大したビットマップイメージを描画し、縮小手段により拡大描画されたビットマップイメージを同一倍率で縮小して、表示用メモリに書き込む処理を行う。
なお、本発明では、描画手段により、ベクターデータのキャラクタが前記所定の大きさ基準値より大きいと判定されたことに応じて、当該ベクターデータをアンチエイリアスせずに描画する。
【０００９】
したがって、高品質な表示データを生成することができる拡大したビットマップイメージの描画及び当該ビットマップイメージの元の大きさへの縮小といった処理を、ベクターデータのキャラクタの大きさに応じて行うことにより、大きな処理負担を回避して高速な表示処理を実現する。
すなわち、ベクターデータのキャラクタが比較的大きい場合には通常の等倍描画処理によっても判別し易い高品質な画面表示ができるため、このような場合には拡大描画及び縮小処理を行わずに処理負担を軽減する。
【００１０】
また、本発明では、ベクターデータを画面に表示する表示処理装置において、解像度判定手段によりベクターデータの解像度に対する画面表示の解像度の比を予め設定された所定の解像度比基準値と比較し、拡大描画手段により解像度の比が前記所定の解像度比基準値より小さいと判定されたことに応じて当該ベクターデータから拡大したビットマップイメージを描画し、縮小手段により拡大描画されたビットマップイメージを同一倍率で縮小して、表示用メモリに縮小されたビットマップイメージを描画する。
なお、本発明では、描画手段により、解像度の比が前記所定の解像度比基準値より大きいと判定されたことに応じて、当該ベクターデータをアンチエイリアス化せずに描画する。
ここで、本発明では、所定の解像度比基準値は段階的に複数設定され、拡大描画手段は解像度の比が所定の解像度比基準値より小さくなるに応じてベクターデータを大きな拡大率でビットマップメモリに描画するのが好ましい。
【００１１】
したがって、高品質な表示を行うことができる拡大したビットマップイメージの描画及び当該ビットマップイメージの元の大きさへの縮小といった処理を、ベクターデータの解像度に対する画面表示の解像度に応じて行うことにより、大きな処理負担を回避して高速な表示処理を実現する。
すなわち、画面表示の解像度がベクターデータの解像度に対して或る程度以上に大きい場合にはアンチエイリアス化しない描画によっても判別し易い高品質な画面表示ができるため、このような場合にはアンチエイリアス化を行わずに処理負担を軽減する。
【００１２】
また、本発明では、ベクターデータを描画手段がビットマップに描画して画面に表示する表示処理装置において、大きさ判定手段によりベクターデータのキャラクタの大きさを予め設定された所定の大きさ基準値と比較し、解像度判定手段によりベクターデータの解像度に対する画面表示の解像度の比を予め設定された所定の解像度比基準値と比較し、拡大描画手段によりベクターデータのキャラクタが前記所定の大きさ基準値より小さいと判定され且つ前記解像度の比が前記所定の解像度比基準値より小さいと判定されたことに応じて当該ベクターデータを拡大してワークメモリに描画し、縮小手段により拡大描画されたビットマップイメージを同一倍率で縮小して、表示用メモリに縮小されたビットマップイメージを描画し、表示用メモリを画面に出力する。
なお、本発明では、描画手段によりベクターデータのキャラクタが前記所定の大きさ基準値より大きいと判定されたこと又は前記解像度の比が前記所定の解像度比基準値より大きいと判定されたことに応じて、当該ベクターデータをアンチエイリアスせずに描画する。
【００１３】
したがって、高品質な表示を行うことができる拡大したビットマップイメージの描画及び当該ビットマップイメージの表示する大きさへの縮小といった処理を、ベクターデータのキャラクタの大きさ及びベクターデータの解像度に対する画面表示の解像度に応じて行うことにより、大きな処理負担を回避して高速な表示処理を実現する。
すなわち、ベクターデータのキャラクタが比較的大きい場合又は画面表示の解像度がベクターデータの解像度に対して程度以上に大きい場合には等倍描画処理によっても判別し易い画面表示ができるため、このような場合には拡大描画及び縮小処理を行わずに処理負担を軽減する。
【００１４】
本発明は、上記のような処理を行う表示処理装置、この表示処理装置により実施される表示処理方法、この表示処理装置をコンピュータにより構成する表示処理プログラムとして実現される。
なお、本発明は、典型的にはアウトラインデータから変換された文字のベクターデータの表示処理に適用されるが、文字以外の図形等のキャラクタについても同様に適用することができる。
【発明の効果】
【００１５】
本発明によると、ベクターデータのキャラクタの大きさやベクターデータの解像度に対する画面表示の解像度の比率に基づいて、必要性が乏しい場合にはアンチエイリアスにかかる処理負担を軽減するようにしたため、高品質な表示処理を高速に実現することができる。
【発明を実施するための最良の形態】
【００１６】
本発明を一実施例に基づいて具体的に説明する。
なお、本例はアウトラインデータから変換された文字のベクターデータを表示処理する場合を説明するが、本発明は、これ以外のキャラクタベクターデータについても同様に適用することができる。
すなわち、本例は図３に示すように、文字のアウトラインデータから変換処理１により得られたベクターデータを、ビットマップイメージに描画処理２をして画面への表示処理３をする表示データを生成する処理を行う。
【００１７】
本例の表示処理装置は、図１に示すように、入力されたベクターデータに対する判定を行う判定手段１１、入力されたベクターデータを判定結果に応じてワークメモリ上にビットマップイメージを描画する描画手段１４、描画されたビットマップイメージを判定結果に応じて縮小する縮小手段１６、ビットマップイメージを表示データとして表示用メモリ１８に保持して画面１９への表示処理を行う表示手段１７とを有している。
【００１８】
判定手段１１は、ベクターデータのキャラクタの大きさを予め設定された所定の大きさ基準値と比較する大きさ判定手段１２と、ベクターデータの解像度に対する表示解像度の比（表示解像度／ベクターデータの解像度）を予め設定された所定の解像度比基準値と比較する解像度判定手段１３とを有しており、これら判定結果を制御信号として描画手段１４及び縮小手段１６へ出力する。
すなわち、大きさ判定手段１２は処理対象のベクターデータが元々大きな文字の描画か否かを判定し、解像度判定手段１３は処理対象のベクターデータの解像度が表示解像度をどの程度上回るかを判定する。
【００１９】
描画手段１４は、ベクターデータのキャラクタが所定の大きさ基準値より小さいと判定され且つ解像度の比が所定の解像度比基準値より小さいと判定されたことに応じて当該ベクターデータを表示解像度よりも高い分解能でワークメモリに描画する拡大描画手段１５を有しており、ベクターデータのキャラクタが所定の大きさ基準値より大きいと判定された場合又は解像度の比が所定の解像度比基準値より大きいと判定された場合には当該ベクターデータから拡大しない等倍のビットマップイメージを描画する。
【００２０】
縮小手段１６は、拡大描画手段１５により拡大描画されたビットマップイメージを同一倍率で縮小する処理を行う。
【００２１】
ここで、本例に係る表示処理装置は、コンピュータで本発明に係る表示処理プログラムを実行することにより、上記の機能手段１１〜１６を構成しているが、これら機能手段を専用のハードウエアで構成することも可能である。
【００２２】
図２には、本例に係る表示処理の手順を示してある。
なお、本例では、解像度比基準値は１．０以上、０．２５以上１．０未満、０．２５未満の３段階に設定されており、拡大描画手段１５は、解像度判定手段１３による判定結果が１．０以上の場合は等倍（１倍）、０．２５以上１．０未満の場合は２倍、０．２５未満の場合は４倍といったように、解像度の比が解像度比基準値より小さくなるに応じて大きな拡大率でビットマップイメージを描画するようにしている。
すなわち、表示解像度がベクターデータ解像度より小さくなるほどワークメモリ上に大きく拡大して描画処理がなされるようにして、画面１９への表示能力が低いときには描画処理での解像度を上げて、文字が判別し易い形態で画面表示されるようにしている。
【００２３】
まず、ベクターデータが入力されると、大きさ判定手段１２が当該ベクターデータの文字の大きさを判定する（ステップＳ１）。
本例では、判定の結果、当該文字の外接矩形の幅と高さの積（大きさ）が所定の大きさ基準値より大きい場合には、描画手段１４が当該ベクターデータをアンチエイリアス化せずに表示画面に描画する（ステップＳ２）。
ここで、本体では大きさ基準値を１２８×１２８ピクセルとしており、１２８×１２８ピクセル以上の文字については画面表示した場合に判別し得る大きさの文字であるので、アンチエイリアス化の対象から外している。なお、大きさ基準値は表示装置の分解能や使用上の必要性等に応じて種々設定すればよい。
【００２４】
一方、文字の外接矩形の大きさが所定の大きさ基準値より小さい場合（すなわち、比較的小さな文字の場合）には、解像度判定手段１３がベクターデータの解像度に対する表示解像度の比と上記解像度比基準値とを比較判定する（ステップＳ４）。
この判定の結果、解像度の比が解像度比基準値の１．０以上の場合は、比較的小さな文字でも鮮明に画面表示する能力があるので、描画手段１４が当該ベクターデータをアンチエイリアス化せずに表示画面に描画する（ステップＳ５）。
【００２５】
また、上記判定の結果、解像度の比が解像度比基準値の０．２５以上１．０未満の場合は、表示分解能が低いので、拡大描画手段１５が当該ベクターデータを２倍拡大でワークメモリに描画し（ステップＳ６）、縮小手段１６が描画されたビットマップイメージを１／２に縮小して表示する大きさに変換して（ステップＳ７）、当該ビットマップデータを表示データとして表示用メモリ１８に格納する（ステップＳ３）。
また、上記判定の結果、解像度の比が解像度比基準値の０．２５未満の場合は、表示分解能がかなり低いので、拡大描画手段１５が当該ベクターデータを４倍拡大でワークメモリに描画し（ステップＳ８）、縮小手段１６が描画されたビットマップイメージを１／４に縮小して表示する大きさに変換して（ステップＳ９）、当該ビットマップデータを表示データとして表示用メモリ１８に格納する（ステップＳ３）。
【００２６】
そして、上記のように表示用メモリ１８に格納された表示データに基づいて、表示手段１７が画面１９に文字画像を表示する（ステップＳ１０）。
したがって、比較的大きな文字についてはアンチエイリアスを行わず、また、比較的小さな文字であっても表示分解能が高い場合にはアンチエイリアスを行わず、これによって、アンチエイリアス処理にかかる負担を軽減している。また、比較的小さな文字については、表示分解能が低くなるほど大きな倍率でベクターデータをワークメモリに描画するアンチエイリアス処理を行って、鮮明な文字を表示するようにしている。
【００２７】
本例によると、例えば文字「の」のベクターデータをアンチエイリアス化せずに画面表示した場合には図４（ａ）に示すように「の」と判別するのが困難な形態で表示されるが、２倍の解像度で描画すると同図（ｂ）に示すようにビットマップ描画され、これを１／２に縮小して画面表示すると同図（ｃ）に示すように「の」と判別することが容易にできる形態で表示される。
【００２８】
なお、本例では、キャラクタの大きさによる判定と解像度による判定とを併用したが、本発明はいずれか一方であってもアンチエイリアス処理にかかる負担軽減を実現することができ、この場合には、いずれか一方の処理に係る処理手段及び処理ステップを省略することができる。
また、本発明では、解像度比の基準値、アンチエイリアス化におけるベクターデータを描画する解像度拡大率の値（倍率）、これらの段階は任意に必要に応じて設定することができ、１段階であってもよい。
【図面の簡単な説明】
【００２９】
【図１】本発明の一実施例に係る表示処理装置の構成図である。
【図２】本発明の一実施例に係る表示処理を説明する図である。
【図３】表示処理の概念を説明する図である。
【図４】本発明による効果を説明する図である。
【符号の説明】
【００３０】
１１：判定手段、  １２：大きさ判定手段、
１３：解像度判定手段、  １４：描画手段、
１５：拡大描画手段、  １６：縮小手段、
１７：表示手段、  １８：表示用メモリ、
１９：画面、
【図１】
2006091280.tif 000003
【図２】
2006091280.tif 000004
【図３】
2006091280.tif 000005
【図４】
2006091280.tif 000006